(57)【要約】      （修正有）【課題】視覚障害者の外出歩行時の迷子を回避し安全性を高めるナビゲーションステッキ構造を提供する。【解決手段】ナビゲーションステッキ構造はステッキ本体Ａ、これにコントロール回路Ｂを備え、ステッキ本体Ａのポール部１には、ストリップ状ＬＥＤ１３を設け、頂端にはグリップ１４を設け、この前端には探知部材２１を設け、コントロール回路Ｂはマイクロプロセッサーユニット、ＧＰＳモジュール、音声処理ユニット及びスピーカー２４、ブルートゥースモジュール等を備え、使用時には音声により目的地を設定し、ＧＰＳモジュールのサーチ及びナビゲーションを経て、音声により正確な歩行ルートを告知してナビゲートし、歩行時にはグリップ前端の探知部材により、前方に障害物がないかどうかをスキャンし、その存在を探知した時には音声、ブザー音、振動などにより使用者に避けるよう伝え、及び夜間にはストリップ状ＬＥＤを点灯し警告する。【選択図】図１
0003203089.tif 000002
【実用新案登録請求の範囲】
【請求項１】
ナビゲーションステッキ構造は、ステッキ本体、コントロール回路を備え、
該ステッキ本体には、半透明材質のポール部を設置し、該ポール部の内部には、ストリップ状ＬＥＤを設置し、頂端には、グリップを設置し、
該コントロール回路は、該ステッキ本体のグリップ部分に設置し、マイクロプロセッサーユニット、及び該マイクロプロセッサーユニットに連接する探知部材、音声処理ユニット、ＧＰＳモジュール及びスピーカー、振動モーター、ブルートゥースモジュール及び駆動ユニット、設定ボタンを備え、これにより該音声処理ユニットは、マイクに連接し、該駆動ユニットは、該ポール部に設置されるストリップ状ＬＥＤに連接され、しかも該探知部材は、該グリップ前端に設置され、該マイク及びスピーカー、設定ボタンは、該グリップの適当な位置に突出し、
視覚障害者の使用時には、音声により目的地を設定し、該ＧＰＳモジュールのサーチ及びナビゲーションを経て、音声により正確な歩行ルートを使用者に告知し、こうして視覚障害者をナビゲートする目的を達成し、
しかも、歩行時には該グリップ前端の探知部材により、前方に障害物がないかどうかをスキャンし、障害物の存在を探知した時には、音声、ブザー音、振動などの方式により使用者に避けるよう伝え、
夜間には、ストリップ状ＬＥＤを点灯することで、警告作用を構成し、こうして視覚障害者は外出時に迷子にならず、しかも安全性が向上することを特徴とするナビゲーションステッキ構造。
【請求項２】
前記ステッキ本体のポール部は、上ポール体、該上ポール体に嵌めて設置する中ポール体、及び該中ポール体に嵌めて設置する下ポール体を備え、
該上ポール体及び該中ポール体には、間隔を開けて配列する複数の定位孔を設置し、該中ポール体及び該下ポール体には、スリーブを設置し、
該スリーブには、バネ及びスチールボールを挿入し、これにより該スチールボールは弾性を備え、該スチールボールを該上ポール体及び該中ポール体の異なる位置の定位孔に嵌め入れ、これにより該中ポール体及び該下ポール体の長さを調整可能とすることを特徴とする請求項１に記載のナビゲーションステッキ構造。
【請求項３】
前記探知部材は、超音波或いは赤外線探知部材であることを特徴とする請求項１に記載のナビゲーションステッキ構造。
【考案の詳細な説明】
【技術分野】
【０００１】
本考案はナビゲーションステッキ構造に関し、特に視覚障害者をナビゲートする目的を達成でき、しかも障害物を探知でき、夜間にはストリップ状ＬＥＤを点灯して警告作用を構成し、こうして視覚障害者の外出歩行時の迷子を回避でき、しかも安全性を高めることができるナビゲーションステッキ構造に関する。
【背景技術】
【０００２】
視覚障害者は視覚の障害により、健常者のように目で見ることで、道路状況や方向を判断することができない。
近年、身体障害者の保護が社会的に強調され、歩道には視覚障害者誘導用ブロック等も設置され、視覚障害者のサポート体制も充実している。
【０００３】
しかし、視覚障害者がある目的地へ向かう時には、自身の判断に基づく他は、絶えず周りの人に尋ね続けなければならない。
けれども、正しいルートに基づき歩行できなければ、面倒であるばかりか、大変危険でもある。
さらに、視覚障害者の歩行時には、手でステッキを持ち、ステッキを前方へと出し、障害物があるかどうかを確かめながら歩くが、これは面倒なだけでなく、ステッキが障害物にぶつかる前にぶつかることもあり、またステッキが近くの人にぶつかることも起こり得る。
【０００４】
本考案は、従来の視覚障害者用ステッキの上記した欠点に鑑みてなされたものである。本出願人は近年のスマート製品の発展に鑑み、ナビゲーションと障害物探知の機能を備え、しかも夜間にはストリップ状ＬＥＤを点灯して警告作用を構成するナビゲーションステッキ構造を開発した。
【先行技術文献】
【特許文献】
【０００５】
【特許文献１】特開２００４−２９０４４２号公報
【考案の概要】
【考案が解決しようとする課題】
【０００６】
本考案が解決しようとする課題は、視覚障害者をナビゲートする目的を達成でき、しかも歩行時に前方障害物を探知でき、夜間にはストリップ状ＬＥＤを点灯させ、警告作用を構成し、こうして視覚障害者の外出歩行時の迷子を回避でき、しかも安全性を高められるナビゲーションステッキ構造を提供することである。
【課題を解決するための手段】
【０００７】
上記課題を解決するため、本考案は下記のナビゲーションステッキ構造を提供する。
ナビゲーションステッキ構造は、ステッキ本体、及び該ステッキ本体に設置するコントロール回路を備え、該ステッキ本体のポール部には、ストリップ状ＬＥＤを設置し、頂端には、グリップを設置し、該グリップ前端には、探知部材を設置し、該コントロール回路は、マイクロプロセッサーユニット、ＧＰＳモジュール、音声処理ユニット及びスピーカー、ブルートゥースモジュール等を備え、視覚障害者の使用時には、音声により目的地を設定し、該ＧＰＳモジュールのサーチ及びナビゲーションを経て、音声、ブザー音、振動などの方式により使用者に正確な歩行ルートを伝え、こうして視覚障害者をナビゲートする目的を達成し、しかも、歩行時には該グリップ前端の探知部材により、前方に障害物がないかどうかをスキャンし、障害物の存在を探知した時には、音声、ブザー音、振動などの方式により使用者に避けるよう伝え、夜間には、該ストリップ状ＬＥＤを点灯することで、警告作用を構成する。
こうして視覚障害者の外出歩行時の迷子を回避でき、しかも安全性を高められ、
該ナビゲーションステッキ構造のポール部は、上ポール体、該上ポール体に嵌めて設置する中ポール体、該中ポール体に嵌めて設置する下ポール体を備え、
該上ポール体及び該中ポール体には、間隔を開けて配列する複数の定位孔を設置し、
該中ポール体及び該下ポール体には、スチールボールを設置し、
該スチールボールを該上ポール体及び該中ポール体の異なる位置の定位孔に嵌め入れ、これにより該中ポール体及び該下ポール体の長さを調整可能とし、
該ナビゲーションステッキ構造の探知部材は、超音波或いは赤外線探知部材を備える。
【考案の効果】
【０００８】
本考案のナビゲーションステッキ構造は、視覚障害者をナビゲートする目的を達成でき、しかも歩行時に前方障害物を探知でき、夜間にはストリップ状ＬＥＤを点灯させ、警告作用を構成し、こうして視覚障害者の外出歩行時の迷子を回避でき、しかも安全性を高めることができる。
【図面の簡単な説明】
【０００９】
【図１】本考案の立体図である。
【図２】本考案ポール部の構造図である。
【図３】本考案回路のブロックチャートである。
【図４】本考案の使用状態図である。
【図５】本考案の使用状態図である。
【考案を実施するための形態】
【００１０】
以下に図面を参照しながら本考案を実施するための最良の形態について詳細に説明する。
【実施例】
【００１１】
図１、２、３は、本考案の立体図、ポール部構造図、及び回路ブロックチャートである。
図に示すように、本考案は、ステッキ本体Ａ、及びステッキ本体Ａに設置するコントロール回路Ｂを備える。
該ステッキ本体Ａには、ポール部１を設置し、該ポール部１は、半透明の材質で、上ポール体１１、及び上ポール体１１に嵌めて設置する下ポール体１２を備える。
該上ポール体１１には、間隔を開けて配列する複数の定位孔１１１を設置し、該下ポール体１２には、スリーブ１２１を設置する。
【００１２】
該スリーブ１２１には、バネ１２２及びスチールボール１２３を挿入し、これによりスチールボール１２３は弾性を備える。
該スチールボール１２３を、該上ポール体１１の異なる位置の定位孔１１１に嵌め入れることで、該下ポール体１２の長さを調整することができる。
該ポール部１の内部には、ストリップ状ＬＥＤ１３を設置し、その頂端には、グリップ１４を設置する。
【００１３】
該コントロール回路Ｂは、ステッキ本体Ａのグリップ部分に設置し、それはマイクロプロセッサーユニット２、該マイクロプロセッサーユニット２に連接する探知部材２１、音声処理ユニット２２、ＧＰＳモジュール２３及びスピーカー２４、振動モーター２５、ブルートゥースモジュール２６、及び駆動ユニット２７、設定ボタン２８、２８ａを備える。
【００１４】
これにより、該音声処理ユニット２２は、マイク２２１に連接し、該駆動ユニット２７は、該ポール部１に設置されるストリップ状ＬＥＤ１３に連接される。
しかも、これにより該探知部材２１は該グリップ１４の前端に設置され、該マイク２２１及びスピーカー２４、設定ボタン２８は、該グリップ１４の適当な位置に露出する。
該探知部材２１は、超音波或いは赤外線探知部材である。
【００１５】
上記の構成部材の組合せにより、ナビゲーションステッキ構造を構成する。
視覚障害者が使用する時には、ブルートゥースイヤフォーン或いはマイク２２１を通して、音声により目的地を設定し、ＧＰＳモジュール２３のサーチ及びナビゲーションを経て、音声により、ブルートゥースイヤフォーン或いはスピーカー２４を通して、使用者に正確な歩行ルートを伝える。
こうして、達到視覚障害者をナビゲートする目的を達成し、しかも歩行時にはグリップ１４前端の探知部材２１により、前方に障害物がないかどうかをスキャンする。
【００１６】
障害物の存在を探知した時には、音声、ビービー音或いは振動モーター２５の振動により、使用者に避けるよう伝え、及び夜間歩行時には、駆動ユニット２７によりストリップ状ＬＥＤ１３を点灯し、警告作用を構成し、こうして視覚障害者は外出時に迷子にならず、しかも安全性が向上する。
【００１７】
本考案の使用状態図である図４、５に、図１及び図３を合わせて示すように、本考案の使用時には、視覚障害者は一般のステッキのように、手でグリップ１４を握り、設定ボタン２８によりコントロール回路Ｂをオンにする。
【００１８】
それは、少なくとも以下の機能を構成する。
１．使用者が、ブルートゥースイヤフォーン３に向かって目的地を告げ、コントロール回路Ｂのブルートゥースモジュール２６が受け取ると、マイクロプロセッサーユニット２により判読し、ＧＰＳモジュール２３を駆動して、該目的地をサーチし、ナビゲーションを開始し、目的地へ向かう正確なルートをブルートゥースモジュール２６によりブルートゥースイヤフォーン３に伝送し、使用者はそれを聞いた後、指示（直進、前方右折等の指示）に基づき歩行し、これにより視覚障害者は外出時の迷子を回避できる。ブルートゥースイヤフォーン３を使用しない時には、使用者はマイク２２１により音声をインプットし、しかもスピーカー２４により音声を出力する（現在地は忠孝東路と基隆路の交差点です、など）。
【００１９】
２．使用者の歩行時には、グリップ１４前端の探知部材２１により、前方に障害物４がないかどうかをスキャンし、障害物４の存在を探知し、マイクロプロセッサーユニット２により判読後、ブルートゥースイヤフォーン３或いはスピーカー２４を通して、音声（前方に障害物あり、右前方に障害物あり、左前方に障害物あり等）或いはビービー音により、使用者に避けるよう伝える。或いは振動モーター２５の振動により使用者に避けるよう伝え、障害物４への衝突を回避し、視覚障害者の外出はより安全となる。
【００２０】
３．使用者が夜間に歩行する時には、設定ボタン２８或いは音声の設定（目的地の設定と同様）により、マイクロプロセッサーユニット２を用いて判読後、駆動ユニット２７によりストリップ状ＬＥＤ１３を点灯し、警告作用を構成し、行き交う車、及び歩行者にはっきり示し、しかも該ストリップ状ＬＥＤ１３は、周囲の光線に基づき輝度を調整する機能を備えるため暗ければ暗いほど明るく、こうして視覚障害者の夜間の外出がより安全となる。
【００２１】
４．使用者が人が多い環境を歩行する時には、ブルートゥースイヤフォーン３或いはマイク２２１により「すみません。通してください。ありがとうございます」等の音声を入力し、スピーカー２４より大きなデシベルの音声で出力し、周囲の人に道を譲ってくれるように呼びかける。該機能はあらかじめ使用者の音声を録音し、マイクロプロセッサーユニット２に保存することもでき、使用が必要な時には、設定ボタン２８或いは音声によりオンにする。
【００２２】
５．緊急（転倒、強盗に遭遇等）時には、設定ボタン２８ａを押し、スピーカー２４から大音量の警報音（shi-shi音など）を発し、該ストリップ状ＬＥＤ１３が高輝度の閃光（赤色光）を構成し、周囲を行き交う人の注意を引き、求援の目的を達成することができる。
【００２３】
上記を総合すると、本考案はストリップ状ＬＥＤを設置するステッキ本体に、ステッキ本体に設置するコントロール回路、探知部材及びＧＰＳモジュール等ユニットを対応させ、ナビゲーションステッキ構造を構成する。
これにより、ステッキは視覚障害者をナビゲートする目的を達成し、しかも歩行時には前方障害物を探知でき、夜間にはストリップ状ＬＥＤを点灯させて警告作用を構成し、こうして視覚障害者は外出時に迷子にならず、しかも安全性が向上する。
【００２４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２５】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２６】
Ａ  ステッキ本体
Ｂ  コントロール回路
１  ポール部
１１  上ポール体
１１１  定位孔
１２  下ポール体
１２１  スリーブ
１２２  バネ
１２３  スチールボール
１３  ストリップ状ＬＥＤ
１４  グリップ
２  マイクロプロセッサーユニット
２１  探知部材
２２  音声処理ユニット
２２１  マイク
２３  ＧＰＳモジュール
２４  スピーカー
２５  振動モーター
２６  ブルートゥースモジュール
２７  駆動ユニット
２８  設定ボタン
２８ａ  設定ボタン
３  ブルートゥースイヤフォーン
４  障害物
【図１】
0003203089.tif 000003
【図２】
0003203089.tif 000004
【図３】
0003203089.tif 000005
【図４】
0003203089.tif 000006
【図５】
0003203089.tif 000007